(57)【要約】【課題】複数のパチンコ機をトラック等に積載して運搬する際に、それら複数のパチンコ機を所定間隔で並べた状態で固定するための桟木を打ち付ける際の不具合を解消できるパチンコ機の外枠を提供する。【解決手段】左右の縦板部１１，１２と、該左右の縦板部１１，１２の上端部間に位置する天板部１３と、左右の縦板部１１，１２の下端部間に位置する地板部１４とを有してアルミニウム等の金属により一体成形されたパチンコ機の外枠１０において、天板部１３に凹部３０を形成し、その凹部３０に木質系部材４０を嵌め込む。木質系部材４０はボルト４２によって固定される。【選択図】  図１
2004267439.tif 000002
【特許請求の範囲】
【請求項１】
金属製あるいは樹脂製の外枠に対して木質系部材が嵌め込まれていることを特徴とするパチンコ機の外枠。
【請求項２】
請求項１に記載のパチンコ機の外枠であって、
木質系部材は、外枠の上面部、外枠の側面部のうち少なくとも一方に嵌め込まれていることを特徴とするパチンコ機の外枠。
【請求項３】
請求項１または請求項２に記載のパチンコ機の外枠であって、
木質系部材は、外枠に対して着脱可能に嵌め込まれていることを特徴とするパチンコ機の外枠。
【発明の詳細な説明】
【０００１】
【発明の属する技術分野】
この発明は、パチンコ機の外枠に係り、詳しくは複数のパチンコ機をトラック等に積載して運搬する際に、それら複数のパチンコ機を所定間隔に保持した状態で固定するための桟木を打ち付ける際の不具合を解消できるパチンコ機の外枠に関する。
【０００２】
【従来の技術】
従来、パチンコ機の外枠として、例えば［特許文献１］に開示されたパチンコ機の外枠が知られている。
［特許文献１］に開示されたパチンコ機の外枠によれば、その外枠が鋳造法によりアルミニウムやマグネシウム等の金属で一体成形される。パチンコ機の外枠が金属で成形されると、パチンコ機の耐久性を高めて寿命を延長できるだけでなく、外枠だけを取り外して新機種に再利用できるなどの種々の利点がある。また、最近では、成型性が良好でデザイン的な価値を高めることができるなどの理由から、硬質の熱可塑性合成樹脂により一体成形されたパチンコ機の外枠も登場している。このように、パチンコ機の外枠の材料としては、旧来用いられていた木製の板材だけでなく、金属や合成樹脂等の木材以外の材料が採用される傾向が強まっている。
【０００３】
一方、複数のパチンコ機を例えばトラック等に積載してパチンコホールまで運搬する方法として、例えば［特許文献２］に開示された方法が知られている。
［特許文献２］開示された方法によれば、複数のパチンコ機を所定間隔で平行に並べて、その並べたパチンコ機の外枠の上面部に対して長尺状の桟木を架け渡している。そして、その桟木の上部から鉄釘等を打ち込むことで、運搬時の揺れ等によって複数のパチンコ機が相互にぶつからないように固定している。また、所定間隔に並べた複数のパチンコ機を倒れないように固定することで、この並べたパチンコ機のさらに上部に複数のパチンコ機を２段積みの状態で積載することができるようになっている。
【０００４】
【特許文献１】
特開２００２−３３１１３２号公報
【特許文献２】
特開平１０−２４９８４号公報（第４図、第５図）
【０００５】
【発明が解決しようとする課題】
ところで、上記パチンコ機の運搬方法によれば、複数のパチンコ機の外枠の上面部に桟木を架け渡し、その桟木の上部から外枠に達する深さまで釘を打ち込む必要がある。しかしながら、パチンコ機の外枠が木材以外の材料、例えば、アルミニウム等の金属材料や、硬質の熱可塑性合成樹脂材料等によって成形されている場合には、外枠が固すぎるために釘が打ち込めない、あるいは、釘を打ち込むと外枠にひび割れが発生して商品として使いものにならない、等の種々の不具合が発生するので問題である。
【０００６】
本発明は、上述した従来の問題点に鑑みてなされたものであり、その目的とするところは、複数のパチンコ機をトラック等に積載して運搬する際に、それら複数のパチンコ機を所定間隔で並べた状態で固定するための桟木を打ち付ける際の不具合を解消できるパチンコ機の外枠を提供することである。
【０００７】
【課題を解決するための手段】
上記課題を解決するため、本発明に係るパチンコ機の外枠は、請求項１に記載の通り構成した。すなわち、請求項１に記載のパチンコ機の外枠では、金属製あるいは樹脂製の外枠に対して木質系部材が嵌め込まれている。ここで、前記「木質系部材」とあるのは、樹木から切り出した通常の材木のみならず、合板材、中質繊維板ＭＤＦ（Ｍｅｄｉｕｍ  Ｄｅｎｓｉｔｙ  Ｆｉｂｅｒ  Ｂｏａｒｄ）、紙材など、釘を打ち込んだとしてもひび割れ（クラック）が発生しない程度の適度な柔らかさを備える材料全般を含む趣旨である。
したがって、請求項１に記載のパチンコ機の外枠によれば、複数のパチンコ機を所定間隔で並べて、その並べたパチンコ機の外枠の上面部に桟木を架け渡した際に、その桟木の上部から外枠に達する深さまで釘を打ち込むことができる。これにより、外枠の再利用が容易になる等の金属製材料や樹脂材料が有する利点を享受できるだけでなく、さらに、木質系材料が有する利点、すなわち、桟木を架け渡して釘を打ち込むことで複数のパチンコ機を簡単に固定出来るという利点をも同時に享受することができる。
【０００８】
請求項２に記載のパチンコ機の外枠によれば、木質系部材は、外枠の上面部、外枠の側面部のうち少なくとも一方に嵌め込まれている。ここで、前記「上面部」及び「側面部」とあるのは、パチンコ機の正面を見たときに、遊技者側から見て上側及び左右側にそれぞれ位置する外枠の部分のことである。
一般に、パチンコ機をトラック等に積載して運搬する場合、そのパチンコ機が起立した状態となるように積載するか、あるいは、パチンコ機の側面部が上になるように横に倒した状態で積載するのが一般的である。
したがって、請求項２に記載のパチンコ機の外枠によれば、起立した状態のパチンコ機、あるいは、側面部が上になる状態で横倒しにされたパチンコ機の上方に桟木を架け渡すことができる。これにより、その桟木の上方から釘を打ち込む際の作業が楽になるという効果がある。
【０００９】
請求項３に記載のパチンコ機の外枠によれば、木質系部材は、外枠に対して着脱可能に嵌め込まれている。これにより、外枠の再利用時には、釘を打ち込むことで傷んでしまった木質系部材だけを取り替えることができる等の利点がある。
【００１０】
【発明の実施の形態】
以下、本発明の実施の形態を図面に基づいて説明する。図１および図２は本実施の形態に係るパチンコ機の外枠および該外枠に装着された前枠を示す斜視図であり、図１は前枠開放状態を示し、図２は前枠閉止状態を示す。また、図３は木質系部材が取り外された状態の外枠上部の拡大斜視図であり、図４は木質系部材が嵌め込まれた状態の外枠上部の拡大斜視図である。図５は木質系部材が嵌め込まれた状態の外枠の上面図であり、図６は図５のＡ−Ａ線断面図、図７は図５のＢ−Ｂ線断面図である。
【００１１】
図１及び図２に示すように、外枠１０は、左の縦板部１１と、右の縦板部１２と、左右の縦板部１１，１２の上端部間に位置する天板部１３と、左右の縦板部１１，１２の下端部間に位置する地板部１４とを有して縦長の矩形状に一体成形された部材である。この外枠１０は、例えばアルミニウムやマグネシウム等の金属材料が鋳造法やダイカスト等によって一体成形されたものである。天板部１３が本発明における「外枠の上面部」に対応しており、左右の縦板部１１，１２が本発明における「外枠の側面部」に対応している。
なお、図１及び図２では、外枠１０を構成する４つの板部、すなわち、天板部１３，左右の縦板部１１，１２，地板部１４がそれぞれ一枚板の状態で成形されている例を示している。
【００１２】
外枠１０の前面には、パチンコ機の本体を構成する図示省略の遊技盤や各種の機構装置、部品類が取り付けられる前枠２０が配置されている。この前枠２０は外枠１０の前面を覆い得る外形を有するとともに、該外枠１０の左側の上下に一体状に設けられた蝶番部２１，２２を介して開閉可能に取り付けられている。
【００１３】
図３に示すように、外枠１０の天板部１３の上面には、方形板状に成形された木質系部材４０を嵌め込むための凹部３０が段差状に凹設されている。この凹部３０の略中央には、天板部１３の下面側にまで貫通する略方形状の貫通孔３１が設けられている。凹部３０に対して木質系部材４０を嵌め込む際には、まず、凹部３０の外周形状に沿って木質系部材４０を上方から挿入し、凹部３０及び木質系部材４０の所定箇所にそれぞれ貫設されたボルト孔３２，４１に６本のボルト４２を螺合させる（図６参照）。これにより、木質系部材４０の上面と天板部１３の上面とが面一となるように固定される。
【００１４】
木質系部材４０には、釘を打ち込んだとしてもひび割れ（クラック）等が発生しないような適度な柔らかさを持つ木質系の材料を所定形状に成形したものが用いられる。このような木質系材料としては、例えば、樹木から切り出した通常の材木、合板材、中質繊維板ＭＤＦ、紙材等を用いることができる。
【００１５】
上記のように構成されるパチンコ機の外枠１０において、複数のパチンコ機を起立させた状態で複数並べてその上面部に桟木を架け渡して固定する際の態様を、図４、図５、図７を参照しながら説明する。
図４に示すように、外枠１０の天板部１３が上となるように複数のパチンコ機Ｐを起立した状態で並べた場合には、その天板部１３と略直交する方向に長尺状の桟木５０を複数のパチンコ機Ｐにわたって架け渡す。そして、桟木５０の上部から鉄釘５１を打ち込むと、図５，図７に示すように、鉄釘５１が桟木５０を貫通して天板部１３に嵌め込まれた木質系部材４０に達する深さまで打ち込まれる。これにより、複数のパチンコ機Ｐが桟木５０によって所定間隔を保持した状態で固定される。なお、木質系部材４０を嵌め込むための凹部３０には貫通孔３１が設けられているので、例えば長寸の鉄釘５１を用いた場合でも外枠１０に傷等がつかないようになっている。
【００１６】
また、本実施の形態では、外枠１０の天板部１３に対して木質系部材４０が着脱可能に嵌め込まれている。
これにより、必要に応じて木質系部材４０を取り付けあるいは取り外しすることが可能になり、金属製の外枠１０と木質系部材４０とを分別する作業が容易になるという効果がある。また、鉄釘５１が打ち込まれることで木質系部材４０が傷んでしまった場合には、新たな木質系部材４０に交換することができるので、金属製の外枠１０を何度でも再利用できるという効果がある。
【００１７】
また、本実施の形態では、天板部１３に木質系部材４０が嵌め込まれているので、パチンコ機Ｐの上方に桟木５０を架け渡すことができる。これにより、例えばパチンコ機Ｐの側方に桟木５０を架け渡す場合と比較して、桟木５０に対して鉄釘５１を打ち込む際の作業が楽になるという効果がある。
また、複数のパチンコ機Ｐを起立させた状態で固定することができるので、その固定されたパチンコ機Ｐの更に上方に複数のパチンコ機Ｐを２段積みの状態で積載できるという効果がある。
【００１８】
なお、パチンコ機Ｐは天板部１３が上となるように起立した状態でトラック等に積載されるのが一般的であるが、左の縦板部１１が上となるように横に倒された状態で積載される場合もある。前枠２０は蝶番部２１，２２によって開閉可能に取り付けられているので、左の縦板部１１が上となるように積載することでトラックの揺れ等によって前枠２０が開いてしまうのを防止できるからである。
したがって、木質系部材４０は、外枠１０の天板部１３、左の縦板部１１のうち少なくとも一方に嵌め込まれると使い勝手がよい。このようにすれば、パチンコ機Ｐを起立させた状態、横に倒した状態のいずれの状態で積載した場合であっても、パチンコ機Ｐの上方に桟木５０を架け渡すことができるからである。
【００１９】
図８は、木質系部材４０をストッパ片６０で固定した変更実施例における外枠１０の上面図である。図９は、図８のＣ−Ｃ線断面図である。
木質系部材４０は必ずしもボルト４２によって固定する必要はなく、例えば図８，図９に示すように、回転式の楕円形ストッパ片６０によって固定することもできる。このストッパ片６０は、天板部１３の上面に立設された回転軸部材６１を中心として回転可能に取り付けられており、図８中の実線で示す固定位置と二点鎖線で示す解除位置とにそれぞれ操作することができるようになっている。
【００２０】
また、ストッパ片６０が無くても木質系部材４０を固定することは可能である。例えば、図８，図９に示すように、木質系部材４０の所定箇所には６つの嵌合孔５２が設けられており、外枠１０の天板部１３の上面には前記嵌合孔５２に対応する位置に６つの嵌合凸部５３が円柱状に凸設されている。木質系部材４０を天板部１３に設けられた凹部３０に沿って嵌め込むと、前記嵌合孔５２と嵌合凸部５３との嵌合によって木質系部材４０が脱落不能な状態で固定される。この場合、前記嵌合凸部５３を下方に向けて次第に径が広がるようなテーパ状（傾斜状）に形成しておけば、嵌合孔５２との強固な嵌合により木質系部材４０が抜け止め状態でしっかりと固定される。
【００２１】
なお、本発明は上述した実施の形態に限定されるものではなく、その要旨を逸脱しない範囲内で適宜変更が可能である。
上記実施の形態では、外枠１０がアルミニウム等の金属により一体成形されている例を示したが、その他の材料、例えば外枠１０が硬質の熱可塑性合成樹脂材料により一体成形されている場合であっても本発明を適用できる。
また、外枠１０が鋳造法やダイカストによって一体成形されている例を示したが、例えば４つの板部（天板部１３，左右の縦板部１１，１２，地板部１４）が別体に形成されている場合であっても本発明を適用できる。
【００２２】
また、上記実施の形態では、蝶番部２１，２２が外枠１０と一体に設けられている例を示したが、蝶番部２１，２２は外枠１０と別体に成形されたものを用いてもよい。
【００２３】
また、上記実施の形態では、外枠１０の天板部１３，左の縦板部１１のうち少なくとも一方に木質系部材４０が嵌め込まれている例を示したが、このような態様に限定するものではない。木質系部材４０は、外枠１０の右の縦板部１２に嵌め込まれてもよいし、外枠１０の地板部１４に嵌め込まれてもよい。
【００２４】
【発明の効果】
以上詳述したように、本発明によれば、複数のパチンコ機をトラック等に積載して運搬する際に、それら複数のパチンコ機を所定間隔で並べた状態で固定するための桟木を打ち付ける際の不具合を解消できるパチンコ機の外枠を提供することができる。
【図面の簡単な説明】
【図１】この実施の形態に係るパチンコ機の外枠および該外枠に装着された前枠を示す斜視図であり、前枠開放時を示す。
【図２】同じくパチンコ機の外枠および該外枠に装着された前枠を示す斜視図であり、前枠閉止時を示す。
【図３】木質系部材が取り外された状態の外枠上部の拡大斜視図である。
【図４】木質系部材が嵌め込まれた状態の外枠上部の拡大斜視図である。
【図５】木質系部材が嵌め込まれた状態の外枠の上面図である。
【図６】図５のＡ−Ａ線断面図である。
【図７】図５のＢ−Ｂ線断面図である。
【図８】木質系部材をストッパ片で固定した変更実施例における外枠の上面図である。
【図９】図８のＣ−Ｃ線断面図である。
【符号の説明】
１０      外枠
１１      左の縦板部
１２      右の縦板部
１３      天板部
１４      地板部
２０      前枠
２１，２２        蝶番部
４０      木質系部材
５０      桟木
５１      鉄釘
【図１】
2004267439.tif 000003
【図２】
2004267439.tif 000004
【図３】
2004267439.tif 000005
【図４】
2004267439.tif 000006
【図５】
2004267439.tif 000007
【図６】
2004267439.tif 000008
【図７】
2004267439.tif 000009
【図８】
2004267439.tif 000010
【図９】
2004267439.tif 000011